(57)【要約】【課題】施工時の位置合わせ作業が容易で、強度が高く、施工後の土砂流出も発生し難い連結構造体を構築可能なブロックを提供する。【解決手段】ブロック１０は、平面視形状がＴ字状をしたコンクリート製の建設資材であり、Ｔ字垂直部分１３の下端に設けられた拡大部１９上面に回転支承用の溝部１１が形成され、Ｔ字水平部分１６の左右の端部１２，１２下面にそれぞれ回転支承用の突起１２ａが形成され、溝部１１内に当該溝部１１を横断する隔壁１７が設けられている。拡大部１９の厚さ及び幅１９ｗは、Ｔ字垂直部分１３の厚さ及び幅１３ｗより大きく形成されている。隔壁１７は溝部１１の長さ方向の中央に設けられ、隔壁１７両面の下方部分にそれぞれ、溝部１１の底部に向かって当該隔壁１７の厚さが増大するように傾斜したガイド面１７ａが設けられている。【選択図】図１
2010031522.tif 000002
【特許請求の範囲】
【請求項１】
平面視形状がＴ字状であって、Ｔ字垂直部分の上面に当該Ｔ字垂直部分を横断する方向に回転支承用の溝部を形成し、Ｔ字水平部分の左右両端部下面にそれぞれ前記溝部内に嵌入可能な大きさの回転支承用の突起を形成し、前記溝部内に当該溝部を横断する隔壁を設けたことを特徴とするブロック。
【請求項２】
前記隔壁を前記溝部の長さ方向の中央に設けた請求項１記載のブロック。
【請求項３】
前記隔壁の両側面の少なくとも一部に、前記溝部の底部に向かって当該隔壁の厚さが増大するように傾斜したガイド面を設けた請求項１または２記載のブロック。
【請求項４】
平面視形状がＬ字状または逆Ｌ字状であって、Ｌ字垂直部分の上面に当該Ｌ字垂直部分を横断する方向に回転支承用の溝部を形成し、Ｌ字水平部分の端部下面に前記溝部に嵌入可能な大きさの回転支承用の突起を形成し、前記溝部のＬ字垂直部分側の端部に当該溝部を横断する隔壁を設けたことを特徴とするブロック。
【請求項５】
前記隔壁の内側面の少なくとも一部に、前記溝部の底部に向かって当該隔壁の厚さが増大するように傾斜したガイド面を設けた請求項４記載のブロック。
【発明の詳細な説明】
【技術分野】
【０００１】
本発明は、自然環境や水辺の生態系に悪影響を及ぼすことなく、河川の堤防や海岸などの浸食を防止可能な護岸構造物を構築するためのブロックに関する。
【背景技術】
【０００２】
海岸や河川の堤防などの浸食を防止するため、従来、様々な護岸技術が開発、施工されているが、近年においては、浸食防止のみを目的とする護岸工事は敬遠され、自然の景観や水辺の生態系を乱すことのない護岸技術が求められている。そこで、本出願人は、完成後、期間が経過すると、自然環境と渾然一体化する護岸構造物を提案している（例えば、特許文献１参照。）。
【０００３】
特許文献１記載の護岸構造物の構築に使用する主要な資材は、図１４に示すように、平面視形状がＴ字状をしたコンクリート製のブロック３０である。ブロック３０のＴ字垂直部の上面の下端寄りの部分に回転支承用溝部３１を有し、Ｔ字水平部の両端下面にそれぞれ回転支承用突起を有している。また、図１５に示すように、ブロック３０の底面には、上面方向に凹んだ段差部３３が設けられている。
【０００４】
図１４，図１５に示すように、一個のブロック３０の回転支承用溝部３１に対し、他の二個のブロック３０の回転支承用突起３２を嵌め込んで蝶番状構造を形成することにより複数のブロック３０を互いに連結していくと、設置面Ｐに敷設されたシート材３５を覆うコンクリート製の網状体（以下、「連結構造体」という。）が形成される。互いに連結されたブロック３０は、回転支承用突起３２を軸心として回動可能であるとともに、当該軸心方向に移動可能であるため、曲がった河川の堤防においても曲面状の地形に沿ってブロック３０を配置することができる。
【０００５】
【特許文献１】特開平１１−３１５５２７号公報
【発明の開示】
【発明が解決しようとする課題】
【０００６】
特許文献１記載のブロックは、互いに連結された状態で回転支承用突起３２の軸心方向に移動可能であるため、曲面状の地形に沿って配置することができる点において優れている。しかしながら、図１４に示すように、回転支承用溝部３１に嵌め込まれた二つの回転支承用突起３２同士の隙間Ｓ１がバラつくことがある。これは、ブロック３０の配置作業の際、ブロック３０をクレーンなどで吊り下げて移動、配置するため、先に設置されたブロック３０の回転支承用溝部３１上に、次のブロック３０の回転支承用突起３２を嵌め込むときの細かな位置合わせが困難であることに起因する。
【０００７】
また、ブロック３０の回転支承用溝部３１は回転支承用突起３２の軸心方向に連続しているため、図１５に示すように、他のブロック３０の回転支承用突起３２を嵌め込んだとき、回転支承用溝部３１と回転支承用突起３２との間に生じる隙間Ｓ２も前記軸心方向に連続した状態となる。このため、施工後、植物の育成のため隙間Ｓ２に充填された土砂が水流などによって流出することがある。
【０００８】
本発明が解決しようとする課題は、施工時の位置合わせ作業が容易であって、土砂流出が発生し難く、連結強度の高い連結構造体を構築可能なブロックを提供することにある。
【課題を解決するための手段】
【０００９】
本発明のブロックは、平面視形状がＴ字状であって、Ｔ字垂直部分の上面に当該Ｔ字垂直部分を横断する方向に回転支承用の溝部を形成し、Ｔ字水平部分の左右両端部下面にそれぞれ前記溝部内に嵌入可能な大きさの回転支承用の突起を形成し、前記溝部内に当該溝部を横断する隔壁を設けたことを特徴とする。
【００１０】
このような構成とすれば、Ｔ字状をしたブロックを複数組み合わせて連結構造体を構築する場合において、先に設置したブロックの回転支承用の溝部に対し、次に設置するブロックの回転支承用の突起を嵌入させるとき、当該溝部内にある隔壁を基準にすることができるため、施工時の位置合わせ作業が容易である。また、隔壁の存在により、溝部がＴ字水平部分と平行に連続しない形状となるため、施工後の土砂流出も発生し難い。さらに、溝部内の隔壁が補強リブの機能を発揮するため、従来のブロックより深い溝部を形成することが可能となり、連結強度の高い連結構造体を構築することができる。
【００１１】
ここで、前記隔壁を前記溝部の長さ方向の中央に設ければ、先に設置したブロックの回転支承用の溝部に対し、次に設置する他の二つのブロックの回転支承用の突起を嵌入させるとき、溝部の中央に位置する隔壁を挟んで、他の二つの突起が互いに対称をなすように嵌入させるだけで、複数のブロックを等間隔に配置することができるため、位置合わせ作業を簡略化することができる。
【００１２】
この場合、前記隔壁の両側面の少なくとも一部に、前記溝部の底部に向かって当該隔壁の厚さが増大するように傾斜したガイド面を設けることが望ましい。このような構成とすれば、先に設置したブロックの回転支承用の溝部に対し、次に設置する他の二つのブロックの回転支承用の突起を前記溝部の上方から嵌入させるとき、突起の下端縁をガイド面に沿って摺動させながらブロック全体を下降させるだけで、突起を常に同じ位置に嵌入させることができる。このため、多数のブロックを配置するときの位置合わせ作業をさらに容易且つ正確に行うことができるようになる。
【００１３】
次に、本発明のブロックは、平面視形状がＬ字状または逆Ｌ字状であって、Ｌ字垂直部分の上面に当該Ｌ字垂直部分を横断する方向に回転支承用の溝部を形成し、Ｌ字水平部分の端部下面に前記溝部に嵌入可能な大きさの回転支承用の突起を形成し、前記溝部のＬ字垂直部分側の端部に当該溝部を横断する隔壁を設けたことを特徴とする。
【００１４】
平面視形状がＴ字状の前記ブロックを複数組み合わせて連結構造体を構築した場合、その連結構造体の周縁部（ブロックのＴ字水平部分と平行方向の周縁部）は、前記ブロックのＴ字水平部分の片方の端部が前記ブロック一つ置きに露出した凹凸形状をなす。そこで、平面視形状がＬ字状または逆Ｌ字状をしたブロックを前記連結構造体の周縁部に配置して、Ｔ字状のブロックと係合させれば、そのＴ字水平部分の片端部の露出を回避することができるため、前記周縁部が直線的形状となり、強度も向上する。
【００１５】
この場合、前記隔壁の内側面の少なくとも一部に、前記溝部の底部に向かって当該隔壁の厚さが増大するように傾斜したガイド面を設けることが望ましい。
【００１６】
このような構成とすれば、先に設置したブロックの回転支承用の溝部に対し、次に設置するブロックの回転支承用の突起を嵌入させるとき、突起の下端縁をガイド面に沿って摺動させながらブロック全体を下降させるだけで、突起を常に同じ位置に嵌入させることができる。このため、ブロックを配置するときの位置合わせ作業をさらに容易且つ正確に行うことができる。
【発明の効果】
【００１７】
本発明により、施工時の位置合わせ作業が容易であって、土砂流出が発生し難く、連結強度の高い連結構造体を構築可能なブロックを提供することができる。
【発明を実施するための最良の形態】
【００１８】
以下、図面に基づいて、本発明の実施の形態について説明する。図１は本発明の実施の形態であるブロックを示す斜視図、図２は図１に示すブロックの平面図、図３は図１に示すブロックの右側面図、図４は図１に示すブロックの背面図、図５は図１に示すブロックの正面図、図６は図１に示すブロックの底面図である。
【００１９】
図１〜図６に示すように、ブロック１０は、平面視形状がＴ字状をしたコンクリート製の建設資材であり、Ｔ字垂直部分１３の下端に設けられた拡大部１９上面に回転支承用の溝部１１が形成され、Ｔ字水平部分１６の左右の端部１２，１２下面にそれぞれ回転支承用の突起１２ａが形成され、溝部１１内に当該溝部１１を横断する隔壁１７が設けられている。拡大部１９の厚さ１９ｔ及び幅１９ｗは、Ｔ字垂直部分１３の厚さ１３ｔ及び幅１３ｗより大きく形成されている。隔壁１７は溝部１１の長さ方向の中央に設けられ、隔壁１７両面の下方部分にそれぞれ、溝部１１の底部に向かって当該隔壁１７の厚さが増大するように傾斜したガイド面１７ａが設けられている。
【００２０】
溝部１１は略Ｕ字状であり、突起１２ａは溝部１１内に収容可能な外径の半円柱状をなしている。Ｔ字水平部分１６の端部１２，１２上面にはそれぞれＴ字水平部分１６上面より高い段差部１８が設けられ、段差部１８，１８の側縁部を除く周縁には、下方に向かって広がる傾斜面１８ａ，１８ｂ，１８ｃが連設されている。また、Ｔ字垂直部分１３の側面と拡大部１９との境界には補強部１３ａが設けられ、Ｔ字垂直部分１３の側面とＴ字水平部分１６との境界には補強部１３ｂが設けられている。
【００２１】
Ｔ字水平部分１６下面の左右に離れた位置に一対の接地面１２ｂが設けられ、拡大部１９下面には接地面１９ｃが設けられている。拡大部１９の正面１９ｆの上下には面取り部１９ａ，１９ｂが設けられ、Ｔ字垂直部分１３の上面と拡大部１９上面との間には面取り部１９ｄが設けられ、Ｔ字垂直部分１３の下面と接地面１９ｃとの間には面取り部１９ｅが設けられている。
【００２２】
また、Ｔ字垂直部分１３上面において、ブロック１０の重心上に位置する部分に、擂り鉢状の凹部１４が形成され、この凹部１４の底部にアンカー１５が埋設されている。アンカー１５は、その軸部１５ｂがブロック１０内に起立状に埋設され、その頭部１５ａが凹部１４内に突出している。アンカー１５は、施工の際に、クレーン（図示せず）でブロック１０を吊り下げるときに使用されるブロック連結具Ｃ（図９参照）を着脱可能に連結するための部材である。
【００２３】
次に、図７〜図９に基づいて、ブロック１０の配置形態について説明する。図７は図１に示すブロックの配置形態を示す平面図、図８は図１に示すブロックの配置形態を示す垂直断面図、図９は図１に示すブロックの位置合わせ状態を示す垂直断面図である。
【００２４】
図７，図８に示すように、河川Ｗの堤防の上部に設置されたブロック１０の回転支承用の溝部１１に対し、他の二個のブロック１０の回転支承用の突起１２ａを嵌め込んで蝶番状構造を形成しながら、矢線Ｄ方向に沿って、複数のブロック１０を互いに連結していくと、設置面Ｐに敷設されたシート材２０を覆う連結構造体１００（コンクリート製の網状体）が形成される。互いに連結されたブロック１０は、突起１２ａを軸心として回動可能であるとともに、当該軸心方向に移動可能であるため、直線状の河川堤防の平面状地形は勿論、曲がった河川堤防の曲面状地形に沿って複数のブロック１０を配置することができ、これによって地形と一体化した連結構造体１００を構築することができる。
【００２５】
また、先に設置したブロック１０の回転支承用の溝部１１に対し、次に設置するブロック１０の回転支承用の突起１２を嵌入させるとき、当該溝部１１内にある隔壁１７を基準にすることができるため、施工時の位置合わせ作業が容易である。また、隔壁１７が存在することにより、溝部１１がその長手方向（河川Ｗの流下方向Ｒ）に連続しない形状となっているため、施工後、河川Ｗの水面Ｗ１下にあるブロック１０においても、溝部１１と突起１２ａとの隙間に充填された土砂流出が発生し難い。このため、溝部１１と突起１２ａとが強固に連結され、水流などによるブロック１０のズレを防止することができる。さらに、溝部１１内の隔壁１７が補強リブの機能を発揮することにより、従来のブロックよりも深い溝部１１を形成することができるため、連結強度も優れている。
【００２６】
隔壁１７は溝部１１の長手方向の中央に設けられているため、先に設置したブロック１０の溝部１１に対し、次に設置する他の二つのブロック１０の突起１２ａを嵌入させるとき、溝部１１の中央に位置する隔壁１７を挟んで、他の二つの突起１２ａが互いに対称をなすように嵌入させれば、複数のブロック１０を等間隔に配置することができる。従って、多数のブロック１０を広範囲に渡って配置する場合の位置合わせ作業が容易となり、作業者の負担を軽減することができる。
【００２７】
また、隔壁１７の両面にはガイド面１７ａが形成されているため、図９に示すように、先に設置したブロック１０の溝部１１に対し、次に設置する他の二つのブロック１０の突起１２ａを溝部１１の上方から嵌入させるとき、突起１２ａの下端縁をガイド面１７ａに沿って摺動させながらブロック１０全体を下降させれば、突起１２ａを常に同じ位置に嵌入させることができる。このため、多数のブロック１０を配置するときの位置合わせ作業を容易且つ正確に行うことができる。
【００２８】
なお、図８に示すように、浸食防止の目的で、設置面Ｐとブロック１０との間に敷設されるシート材２０は、ブロック１０の接地面１２ｂ，１９ｃに予め貼着した状態で設置面Ｐに設置している。これにより、シート材１０の敷設作業を、ブロック１０の設置作業と同時に行うことができるため、作業効率が大幅に向上する。なお、ブロック１０の接地面１２ｂ，１９ｃに予めシート材２０を貼着する工法に限定するものではないので、これ以外の工法を採用することもできる。
【００２９】
ここで、図８，図１０に基づき、ブロック１０のその他の配置形態について説明する。図１０は図１に示すブロックのその他の配置形態を示す垂直断面図である。前述したように、図８に示す連結構造体１００は、複数のブロック１０を河川Ｗの堤防の上部から川底に向かって矢線Ｄ方向に配置していくことによって構築されているが、ブロック１０の配置形態はこれに限定するものではない。即ち、図１０に示すように、複数のブロック１０を河川Ｗの川底から堤防上部に向かって矢線Ｕ方向に配置していくことによって連結構造体２００を構築することもできる。従って、ブロック１０の配置方向については、施工現場の状況に応じて、矢線Ｄまたは矢線Ｕ方向の何れかを選択することができる。
【００３０】
次に、図１１〜図１３に基づいて、本発明の実施の形態であるその他のブロックについて説明する。図１１（ａ）は本発明の実施の形態であるＬ字状のブロックを示す斜視図、（ｂ）は逆Ｌ字状ブロックを示す斜視図、図１２，図１３は図１０に示すブロックの配置形態を示す平面図である。なお、図１１〜図１３において図１〜図１０と同じ符号を付している部分は、前述したブロック１０、連結構造体１００，２００の構成部分と同じ構造や機能を有する部分であり、説明を省略する。
【００３１】
図１１（ａ）に示すブロック１０ｔは平面視形状がＬ字状であり、図１１（ｂ）に示すブロック１０ｓは平面視形状が逆Ｌ字状であるが、その他の部分は互いに鏡面対称な構造をなしている。それぞれのブロック１０ｔ，１０ｓは、Ｌ字垂直部分１３ｓの上面に、当該Ｌ字垂直部分１３ｓを横断する方向に回転支承用の溝部１１を形成し、Ｌ字水平部分１２ｔの端部１２ｓ下面に、溝部１１に嵌入可能な大きさの回転支承用の突起１２ａを形成し、溝部１１のＬ字垂直部分１３ｓ側の端部にそれぞれ当該溝部１１を横断する隔壁１７ｔ，１７ｓを設けている。また、隔壁１７ｔ，１７ｓの内側面（溝部１１に臨む面）の下方部分には、溝部１１の底部に向かって当該隔壁１１の厚さが増大するように傾斜したガイド面１７ａを設けている。
【００３２】
図１２に示すように、平面視形状がＴ字状のブロック１０を複数組み合わせて連結構造体１００を構築する場合、その連結構造体１００の周縁部（ブロック１０のＴ字水平部分と平行方向の周縁部）に、平面視形状がＬ字状のブロック１０ｔまたは逆Ｌ字状のブロック１０ｓをそれぞれ配置し、Ｔ字状のブロック１０と係合させれば、そのＴ字水平部分の端部１２の露出を回避することができ、前記周縁部が直線的形状となり、連結構造体１００の強度向上に有効である。
【００３３】
また、隔壁１７ｔ，１７ｓの内側面（溝部１１に臨む面）の下方部分にはそれぞれガイド面１７ａが形成されているため、他のブロック１０の突起１２ａを溝部１１の上方から嵌入させるとき、突起１２ａの下端縁をガイド面１７ａに沿って摺動させながらブロック１０全体を下降させれば、突起１２ａは常に同じ位置に嵌入される。このため、多数のブロック１０を配置するときの位置合わせ作業を容易且つ正確に行うことができる。
【００３４】
さらに、図１３に示すように、平面視形状がＴ字状のブロック１０を複数組み合わせて構築された連結構造体２００の周縁部（ブロック１０のＴ字水平部分と平行方向の周縁部）にもブロック１０ｔ，１０ｓを配置することができ、前述と同様の作用、効果を得ることができる。
【産業上の利用可能性】
【００３５】
本発明のブロックは、河川の堤防や海岸などの浸食を防止するために構築される護岸構造物用の建設資材として土木建設業の分野において広く利用することができる。
【図面の簡単な説明】
【００３６】
【図１】本発明の実施の形態であるＴ字状のブロックを示す斜視図である。
【図２】図１に示すブロックの平面図である。
【図３】図１に示すブロックの右側面図である。
【図４】図１に示すブロックの背面図である。
【図５】図１に示すブロックの正面図である。
【図６】図１に示すブロックの底面図である。
【図７】図１に示すブロックの配置形態を示す平面図である。
【図８】図１に示すブロックの配置形態を示す垂直断面図である。
【図９】図１に示すブロックの位置合わせ状態を示す垂直断面図である。
【図１０】図１に示すブロックのその他の配置形態を示す垂直断面図である。
【図１１】（ａ）は本発明の実施の形態であるＬ字状のブロックを示す斜視図、（ｂ）は逆Ｌ字状ブロックを示す斜視図である。
【図１２】図１０に示すブロックの配置形態を示す平面図である。
【図１３】図１０に示すブロックの配置形態を示す平面図である。
【図１４】従来のブロックの配置形態を示す平面図である。
【図１５】従来のブロックの配置形態を示す垂直断面図である。
【符号の説明】
【００３７】
１０，１０ｓ，１０ｔ  ブロック
１１  溝部
１２  端部
１２ａ  突起
１２ｂ，１９ｃ  接地面
１２ｔ  Ｌ字水平部分
１３  Ｔ字垂直部分
１３ａ，１３ｂ  補強部
１３ｓ  Ｌ字垂直部分
１３ｔ，１９ｔ  厚さ
１３ｗ，１９ｗ  幅
１４  凹部
１５  アンカー
１５ａ  頭部
１５ｂ  軸部
１６  Ｔ字水平部分
１７，１７ｓ，１７ｔ  隔壁
１７ａ  ガイド面
１８  段差部
１８ａ，１８ｂ，１８ｃ  傾斜面
１９  拡大部
１９ａ，１９ｂ，１９ｄ  面取り部
１９ｆ  正面
２０  シート材
１００，２００  連結構造体
Ｃ  ブロック連結具
Ｐ  設置面
Ｒ  河川の流下方向
Ｗ  河川
Ｗ１  水面
【図１】
2010031522.tif 000003
【図２】
2010031522.tif 000004
【図３】
2010031522.tif 000005
【図４】
2010031522.tif 000006
【図５】
2010031522.tif 000007
【図６】
2010031522.tif 000008
【図７】
2010031522.tif 000009
【図８】
2010031522.tif 000010
【図９】
2010031522.tif 000011
【図１０】
2010031522.tif 000012
【図１１】
2010031522.tif 000013
【図１２】
2010031522.tif 000014
【図１３】
2010031522.tif 000015
【図１４】
2010031522.tif 000016
【図１５】
2010031522.tif 000017